(57)【要約】【課題】従来、配管を直接壁面に固定するものは、ウォーターハンマー現象等による振動で、壁面を傷つけることがある。また、取付後、分岐方向の変更ができない。【解決手段】管継手の継手本体を保持して管継手を壁面に固定する継手固定具であって、基台の一端から環状に湾曲して保持体を延設し、上記保持体の先端に、上記基台の他端に重なって密着する固定片を設けて上記基台と保持体とで所定内径を有する継手保持部を形成し、上記重なった基台と固定部に連通可能に透孔を設けるという手段を採用した。また、上記基台と固定部に連通可能に設ける透孔が、それぞれ複数であり、対応位置関係を変更して継手保持部の内径を変更可能とした。さらに、保持体の環状方向に、継手に挿入した管の管端位置を視認可能な１乃至複数の窓孔を設けた。また、上記継手固定具を２つ並べ、それぞれの基台を所定幅の連結板で連結した。【選択図】図１
2008248910.tif 000002
【特許請求の範囲】
【請求項１】
管継手の継手本体を保持して管継手を壁面に固定する継手固定具であって、基台の一端から環状に湾曲して保持体を延設し、上記保持体の先端に、上記基台の他端に重なって密着する固定片を設けて上記基台と保持体とで所定内径を有する継手保持部を形成し、上記重なった基台と固定部に連通可能に透孔を設けたことを特徴とする継手固定具。
【請求項２】
基台と固定部に連通可能に設ける透孔が、それぞれ複数であり、対応位置関係を変更して連通させることにより、基台と保持体で形成する継手保持部の内径を変更可能とした請求項１記載の継手固定具。
【請求項３】
保持体の環状方向に、保持する継手に挿入した管の管端位置を視認可能な１乃至複数の窓孔を設けた請求項１または請求項２記載の継手固定具。
【請求項４】
請求項１から請求項３のいずれか１項に記載の継手固定具を２つ並べ、それぞれの基台を所定幅の連結板で連結したことを特徴とする継手固定具。
【請求項５】
上記継手固定具は、全体を柔軟性の樹脂材で一体成型するものである請求項１から請求項４のいずれか１項記載の継手固定具。
【発明の詳細な説明】
【技術分野】
【０００１】
この発明は、例えばチーズ型（Ｔ字型）管継手など、各種管継手を壁面（天井面、床面を含む）に固定するための継手固定具に関するものである。
【背景技術】
【０００２】
従来、給水・給湯管等の管材を壁面に固定する固定具として、特許文献１（特開２００２−３５４６３７号公報）の図６に開示されたクランプ形状の固定具が知られている。この固定具は、帯状体を環状に形成して管材の保持部分とする一方、両端部分を重ねて透孔を設け、釘、ネジ等で壁面に固定することで合成樹脂管等の管材を壁面に保持するものである。また、当該特許文献に開示されたものは、壁面に先付けできるように保持片に貫通孔を形成した固定具に関するものである。そして、合成樹脂管等の軟質管を保持するためには、およそ１メートル間隔で固定具を取り付けていた。
【０００３】
一方、管路の途中では、必要な管路を確保するため、チーズ型管継手などの分岐用の管継手を使用している。これらの管継手を壁面に固定するためには、管継手自身に取付座を設け、この取付座を介して直接壁面に固定していた。
【０００４】
【特許文献１】特開２００２−３５４６３７号公報
【発明の開示】
【発明が解決しようとする課題】
【０００５】
ところで、従来の固定具や管継手を用いて配管する場合、上述のように管継手を取付座を介して直接壁面に固定していたので、いわゆるウォーターハンマー現象によって、管路に振動が生じた場合、管継手の動きにより、管継手が直接壁面に衝突し、管継手と壁面が互いに傷つけあうという問題がある。また、管継手の動きを規制するため、管継手の直近の管材部分に上記固定具を取り付けることも行われ、管材を固定するのに多くの固定具を必要としていたので、施工に手間を要すると共に、コストが高くなるという問題もあった。また、管材の径に応じて、複数種類の固定具を用意する必要がある。
【０００６】
さらに、チーズ管を取付座を介して壁面に取り付けると、分岐方向が固定されてしまうので、枝管の分岐方向を自由に選択できないという問題もあった。
【０００７】
一方、近年では、例えば、本出願人の出願に係る特開２００６−９７４２０号公報に開示されているように、中間に金属層を介在させ、その内外に樹脂層を設けた三層構造の多層管が多く用いられている。このような構造の多層管は、耐クリープ性能に優れているうえ、金属成分の析出等がなく、特に上水の場合、良好な水質を保持できるものである。また、このような多層管を配管に用いた場合、従来の軟質管に比べて、上記固定具の取付間隔を長く採ることができ、およそ１．５〜２メートル間隔で固定具を取り付けることができるので、施工の手間やコストを軽減できる。しかしながら、多層管を用いた場合でも、管自身を固定具で固定する場合には、上記ウォーターハンマー現象に由来する、管継手の振動の問題は残されていた。
【課題を解決するための手段】
【０００８】
本発明は、上述した諸課題を解決するためなされたものであり、請求項１に記載した発明は、管継手の継手本体を保持して管継手を壁面に固定する継手固定具であって、基台の一端から環状に湾曲して保持体を延設し、上記保持体の先端に、上記基台の他端に重なって密着する固定片を設けて上記基台と保持体とで所定内径を有する継手保持部を形成し、上記重なった基台と固定部に連通可能に透孔を設けるという手段を採用したものである。
【０００９】
また、請求項２に記載した発明は、上記発明について、上記基台と固定部に連通可能に設ける透孔が、それぞれ複数であり、対応位置関係を変更して連通させることにより、基台と保持体で形成する継手保持部の内径を変更可能とするという手段を採用した。
【００１０】
さらに、請求項３に記載した発明は、上記発明について、保持体の環状方向に、保持する継手に挿入した管の管端位置を視認可能な１乃至複数の窓孔を設けるという手段を採用した。
【００１１】
そして、別の構成として、上記請求項１から請求項３のいずれか１項に記載の継手固定具を２つ並べ、それぞれの基台を所定幅の連結板で連結して継手固定具を構成するという手段を採用した。
【００１２】
また、上記各請求項に記載した継手固定具は、全体を柔軟性の樹脂材で一体成型するものであるという手段も採用した。
【発明の効果】
【００１３】
上記請求項１に係る発明は、基台と環状に湾曲した保持体で形成される継手保持部に、管継手の継手本体を弾性的に保持して、管継手を壁面に固定できるものであるから、従来のように継手直近の管材を保持するのに比べて、施工の手間とコストを低減できるものである。また、ウォーターハンマー現象等により管継手が振動する場合においても、管継手と壁面の直接の衝突を防止でき、壁面及び管継手の両方を保護することができる。
【００１４】
また、環状の継手保持部で継手本体を保持するので、例えばチーズ管等の分岐管を保持する場合に、取り付け後に分岐方向を変更できるようになり、管の取り回しの自由度が高くなって、配管の施工が容易となるものである。
【００１５】
また、基台と固定部に互いに連通可能な複数の透孔を設けたので、連通させる透孔の対応位置関係を変更することで、継手保持部の内径を段階的に変更することが可能となり、種々のサイズの管継手に対応することが可能となった。
【００１６】
さらに、保持体の環状方向に窓孔を設けたので、継手本体が透明部材で構成された管継手を保持する場合、窓孔及び透明な継手本端を通して、継手に挿入した管の管端の位置を容易に確認することができ、施行の確実性が向上した。
【００１７】
一方、上記各構成の継手固定具を並べ、連結板で連結して継手固定具を構成したので、特にチーズ管等の管継手を固定する場合に、上記単体における各種作用効果が期待できると共に、チーズ管等を一体に保護できるものである。
【００１８】
そして、これらの継手固定具は、全体を柔軟性の樹脂材で一体成型することで、管継手と壁面の間に介在して、両者の直接的衝突を防止すると共に、衝撃を吸収して両者を共に保護できるものである。
【発明を実施するための最良の形態】
【００１９】
以下、本発明に係る継手固定具の好ましい実施形態を、図面に従って説明する。
【００２０】
（第１実施形態）
図１は、本発明に係る継手固定具の第１実施形態の概要を示すもので、（Ａ）は正面図、（Ｂ）は背面図、（Ｃ）は側面図、（Ｄ）は斜視図である。
【００２１】
図において、１は、平板状の基台、２は該基台１の一端から環状に湾曲して延伸した帯状の保持体である。また、保持体２の先端には、上記基台１の他端に重なって密着する固定片３が形成されている。この保持体２は弾性を有し、固定片３を持ち上げることにより、基台１と固定片３の間が拡開し、継手が挿入可能となると共に、固定片３を再び密着させることにより、基台１と環状の保持体２とで所定内径の継手保持部４を形成するものである。５は、上記基台１を壁面に先付け固定するために基台１の側方に延設した取付片で、釘またはネジを通すための透孔６が穿設されている。この取付片５は、必要に応じて設ければよく、省略することもある。
【００２２】
また７は、上記基台１に複数個設けた透孔で、上記固定片３に設ける複数の透孔８と連通するものである。上記透孔７と透孔８は、それぞれの対応位置関係を変更して連通させることにより、上記継手保持部４の内径を変更することが可能であり、複数種類の継手に対応できるようにしている。即ち、例えば図１では、基台１には左右方向及び前後方向に所定の間隔をおいて３箇所の透孔７ａ、７ｂ、７ｃを設け、一方、固定片３には左右方向に所定の間隔をおいて２つの透孔８ａ、８ｂを設けている。この場合、７ａと８ｂ、７ｂと８ａ、７ｃと８ｂの透孔をそれぞれ対応させることにより、固定片３の基台１に対する縦方向の位置が変更され、その結果、保持体２が形成する継手保持部４の径を３種類に変更することができるものである。
【００２３】
なお、９は保持体２の環状方向に沿って設けたリブであり、保持体２の弾性及び強度を適度に維持するためのものである。
【００２４】
また、上記継手固定具は、柔軟性の合成樹脂を一体成型して得られるが、これに限定するものではなく、適当な金属材料を湾曲加工して得ることも可能である。但し、この場合でも、保持体２は弾性的に継手を保持できるものでなければならない。また、合成樹脂材の色を適宜変更したり着色するなどして、数種類の色の継手固定具を用意することもある。これにより、例えば、管継手に予め固定しておく場合、給水用と給湯用などのように、使用用途毎に色分けしておけば、施工の際の識別が容易となる。
【００２５】
図２は、上記継手固定具１０を２つ使用し、管継手としてチーズ管に装着した使用例を示すもので、（Ａ）は正面図、（Ｂ）は側面図である。
【００２６】
図において、１１はチーズ管であり、左右の管端に、継手１２が形成され、中央から直角方向に分岐継手１３が形成されたものである。図の場合、左右の継手１２の継手本体１２ａに上記継手固定具１０をそれぞれ装着し、チーズ管１１の継手部分を確実に固定するものである。具体的には、継手部分に予め継手固定具１０、１０を装着しておき、左右端の継手１２に幹管（図示せず）を接続する。次に、透孔７、８に釘、ネジなどを挿通し、分岐継手１３の方向を確認しつつ、継手固定具１０を壁面に固定する。次に、分岐継手１３に枝管（図示せず）を接続するのである。この場合、幹管や枝管は、上述した多層管を用いることが好ましい。即ち、耐クリープ性能を有する多層管を用いることにより、管を継手に接続した場合、従来のように、継手の直近の管を固定具で固定するのではなく、管継手の継手部分を本発明の継手固定具で固定するようにして、固定具の使用箇所を大幅に減らすことが可能となり、コストの面で有利になるのである。なお、継手固定具を先に壁面に仮固定しておき、後で管継手を装着することも可能である。
【００２７】
このように２つの継手固定具１０、１０で継手部分を固定することで、ウォーターハンマー現象でチーズ管が振動する場合にも、壁面と直接当接しないので、互いに傷つけ合うことがなくなり、壁面もチーズ管も保護できるものである。また、チーズ管自体を壁面に直接固定しないので、チーズ管１１が継手保持部４内で回動可能となり、固定後も分岐継手１３の方向を変更できるようになる。
【００２８】
この継手１２は、幹管や枝管（図示せず）を挿入して締め付けリング１２ｂを締め付けることにより、管を接続できるものであるが、継手の種類はこれに限定されるものではなく、公知の各種継手構造を採用できる。但し、図示したように、締め付けリング１２ｂの外径に対し、継手本体１２ａの外径が僅かに小さく、両者の間に段差１２ｃが形成されていることが好ましい。即ち、この段差１２ｃにより、継手固定具１０の保持体２の移動が規制され、チーズ管をより確実に固定できるものである。
【００２９】
なお、上記実施形態ではチーズ管を例に説明したが、本発明に係る継手固定具は、チーズ管に限らず、管端に所定の継手を有する各種管継手に広く適用できるものである。
【００３０】
（第２実施形態）
図３は、本発明に係る継手固定具の第２実施形態の概要を示すものである。図において、（Ａ）は正面図、（Ｂ）は底面図、（Ｃ）は側面図である。また、（Ｄ）はチーズ管に装着した状態の正面図、（Ｅ）は同じく側面図である。
【００３１】
図において、２１は継手固定具であり、基本的には上記第１実施形態で説明した継手固定具１０と同じ構成の固定部２２、２２を並べ、それぞれの基台２３、２３を連結板２４で連結したものである。即ち、各固定部２２は、基台２３の一端から環状に湾曲した帯状の保持体２５を延設し、保持体２５の先端には、上記基台２３の他端に重なって密着する固定片２６を形成したものである。これにより、環状の保持体２５が所定径の継手保持部２７を形成する。また、固定片２６には複数の透孔２８、２８を設け、基台２３に設けた複数の透孔（図示せず）と対応位置を変更可能に連通させて、釘等を挿通可能としている。これにより、前記第１実施形態と同様に径の異なる複数の継手に対応できる。そして、かかる構成の固定部２２の基台２３同士を平板な連結板２４で所定間隔を置いて連結する。かかる構成の継手固定具は、例えばチーズ管に適用しやすい。また、この連結板２４は、可撓性を有するものとすれば、湾曲させることにより、エルボー管等にも対応可能となるものである。また、この連結板に壁面取付用の透孔（図示せず）を穿設してもよい。
【００３２】
なお、２９、２９・・は保持体２５の環状方向に設けた窓孔であり、下述するように、装着した管継手の継手本体に幹管等を挿入した場合、透明な継手本体を通して、幹管等の管端の挿入位置を視認可能として、幹管等が確実に継手に挿入されていることを確認できるようにしたものである。この窓孔２９は、継手固定具２１の固定位置に応じて視認方向が変わることから、環状方向の複数箇所に設けている。なお、この窓孔は上述した第１実施形態における継手固定具にも適用できるものである。即ち、固定対象である管継手の継手本体が透明な場合には、窓孔から同様に管端の挿入位置が視認できるようにする。
【００３３】
なお、上記構成の継手固定具も、第１実施形態と同様に、柔軟性の樹脂材を一体成型して得ることが可能である。さらに、適宜着色を施して、配管の種類を識別できるようにしてもよい。
【００３４】
続いて、管継手としてチーズ管に装着した使用例を図３（Ｄ）、（Ｅ）について説明すると、図において、３０はチーズ管であり、左右の管端に、継手３１が形成され、中央から直角方向に分岐継手３２が形成されたものである。この継手３１は、継手本体３１ａに対して締め付けリング３１ｂを締め付けることで幹管等を接続固定できるものであるが、継手本体３１ａが透明合成樹脂で形成され、挿入した幹管等の管端部分が透過して視認でき、管が確実に挿入されていること確認できるようにしたものである。図の場合、左右の継手の透明な継手本体３１ａ部分をそれぞれ保持体２５の各継手保持部２７に挿入固定し、固定片２６の透孔２８を介して壁面に取り付ける。このとき、幹管を接続すると、保持体２５の窓孔２９及び透明な継手本体３１ａを通して、管の挿入状態が視認でき、管が確実に挿入されているかどうかを確認することができる。
【００３５】
このように第２実施形態の継手固定具２１で継手部分を固定することで、ウォーターハンマー現象でチーズ管が振動する場合にも、壁面と直接当接しないので、互いに傷つけ合うことがなくなり、壁面もチーズ管も保護できるものである。また、チーズ管自体を壁面に直接固定しないので、チーズ管３０が継手保持部２７内で回動可能となり、固定後も分岐継手３２の方向を変更できるようになる。
【００３６】
なお、本実施形態に係る継手固定具も、チーズ管に限らず、所定距離で端部に継手構造を有する各種管継手に広く適用できるものである。
【図面の簡単な説明】
【００３７】
【図１】本発明に係る継手固定具の第１実施形態の概要を示すもので、（Ａ）は正面図、（Ｂ）は背面図、（Ｃ）は側面図、（Ｄ）は斜視図である。
【図２】本発明に係る継手固定具を２つ使用して、管継手としてチーズ管に装着した使用例を示すもので、（Ａ）は正面図、（Ｂ）は側面図である。
【図３】本発明に係る継手固定具の第２実施形態の概要を示すもので、（Ａ）は正面図、（Ｂ）は底面図、（Ｃ）は側面図、（Ｄ）はチーズ管に装着した状態の正面図、（Ｅ）は同じく側面図である。
【符号の説明】
【００３８】
１    基台
２    保持体
３    固定片
４    継手保持部
７    透孔
８    透孔
２１    継手固定具
２２    固定部
２３    基台
２４    連結板
２５    保持体
２６    固定片
２７    継手保持部
２８    透孔
２９    窓孔
【図１】
2008248910.tif 000003
【図２】
2008248910.tif 000004
【図３】
2008248910.tif 000005